(57)【特許請求の範囲】
【請求項１】
第１のプラントにおける原子力発電の制御が行われる第１のプラント中央制御室と、この第１のプラント中央制御室の換気空調が行われる第１のプラント中央制御室換気空調設備機械室と、第２のプラントにおける原子力発電の制御が行われる第２のプラント中央制御室と、この第２のプラント中央制御室の換気空調が行われる第２のプラント中央制御室換気空調設備機械室と、を有するプラント共用中央制御室換気空調設備の取替を行うプラント間共用中央制御室換気空調設備の取替工法において、
前記第１のプラント及び第２のプラントの少なくとも一方側に第３の中央制御室換気空調設備機械室が設置される第３の中央制御室換気空調設備機械室設置ステップと、
この設置された第３の中央制御室換気空調設備機械室に前記の第１の中央制御室及び第２の中央制御室の少なくとも一方の換気空調が行われる換気空調設備が設置される中央制御室換気空調設備設置ステップと、
前記第１のプラント中央制御室換気空調設備機械室及び第２のプラント中央制御室換気空調設備機械室内の少なくとも一方の換気空調設備が撤去される換気空調設備撤去ステップと、
を有することを特徴とするプラント間共用中央制御室換気空調設備の取替工法。
【請求項２】
前記第３の中央制御室換気空調設備機械室設置ステップにおいて、前記第３の中央制御室換気空調設備機械室が前記第２のプラント側に設置され、
前記中央制御室換気空調設備設置ステップにおいて、この設置された第３の中央制御室換気空調設備機械室に前記第２の中央制御室の換気空調が行われる換気空調設備が設置されること、
を特徴とする請求項１記載のプラント間共用中央制御室換気空調設備の取替工法。
【請求項３】
前記中央制御室換気空調設備設置ステップにおいて、前記第１のプラント中央制御室換気空調設備機械室に存在する換気空調設備が使用されること、
を特徴とする請求項２記載のプラント間共用中央制御室換気空調設備の取替工法。
【請求項４】
前記中央制御室換気空調設備設置ステップにおいて、前記第２のプラント中央制御室換気空調設備機械室に存在する換気空調設備が使用されること、
を特徴とする請求項２記載のプラント間共用中央制御室換気空調設備の取替工法。
【請求項５】
前記第３の中央制御室換気空調設備機械室設置ステップにおいて、前記第３の中央制御室換気空調設備機械室が前記第１のプラント側に設置され、
前記中央制御室換気空調設備設置ステップにおいて、この設置された第３の中央制御室換気空調設備機械室に前記第２の中央制御室の換気空調が行われる換気空調設備が設置されること、
を特徴とする請求項１記載のプラント間共用中央制御室換気空調設備の取替工法。
【発明の詳細な説明】
【技術分野】
【０００１】
本発明は、原子力発電所のプラント間を共用している中央制御室換気空調設備の取替を行うプラント間共用中央制御室換気空調設備の取替工法に関する。
【背景技術】
【０００２】
従来、原子力発電所における中央制御室の換気空調設備に関連して、プラント間で共通して使用されるプラント間共用中央制御室換気空調設備に係る技術が知られている（例えば、特許文献１参照）。
【０００３】
このプラント間共用の中央制御室換気空調設備の取替は、中央制御室に運転員が２４時間常駐しているため、中央制御室換気空調設備を常時運転かつ冗長性を保持しながら取替を行っていた。
【０００４】
また最近、プラント間で共通して使用されていた中央制御室換気空調設備は、予備機を設けることにより冗長性を維持した状態で、プラント毎に単独で使用できる独立設備とすることも要求されている。
【０００５】
このため、予備機として仮設設備を予め設置して、冗長性を保持しながら、老朽化した中央制御室換気空調設備の更新を行っていた。
【０００６】
以下、図８及び図９を参照して、従来のプラント間共用の中央制御室換気空調設備の取替工法について説明する。
【０００７】
本図に示すように、第１のプラントにおいて、原子力発電所の制御を行う第１プラント中央制御室１、第２のプラントにおいて第２プラント中央制御室２が設置されている。これらの中央制御室１、２には、第1及び第２のプラント間に共用して空調を行い得る中央制御室換気空調設備が設けられている。このプラント間に共通して用いられるプラント間共用中央制御室換気空調設備は、部品の老朽化等の対策のために取り替える必要が生じる。
【０００８】
上記の取替前のプラント間共用の中央制御室換気空調設備は、第１のプラント側に設置された第１プラント中央制御室換気空調設備機械室３、第２のプラント側に設置された第２のプラント中央制御室換気空調設備機械室４から構成される。この機械室３、４において、各プラントの中央制御室の換気空調が行われる。
【０００９】
この第１プラント中央制御室換気空調設備機械室３には、給気するための中央制御室給気ユニットＡ８、中央制御室給気ユニットＢ９が設置されている。また、この中央制御室給気ユニットＡ８、中央制御室給気ユニットＢ９には、それぞれ、中央制御室給気ファンＡ５、中央制御室給気ファンＢ６が接続されている。また、再循環して浄化するための中央制御室再循環フィルタＡ１４が設けられている。この中央制御室再循環フィルタＡ１４には、中央制御室再循環フィルタファンＡ１１、中央制御室再循環フィルタファンＢ１２が並列に接続されている。
【００１０】
次に、第２プラント中央制御室換気空調設備機械室３には、給気するための中央制御室給気ユニットＣ１０が設置されている。この中央制御室給気ユニットＣ１０には、中央制御室給気ファンＣ７が接続され給気に用いられている。また、再循環して浄化するための中央制御室再循環フィルタＢ１５が設けられている。この中央制御室再循環フィルタＢ１５には、中央制御室再循環フィルタファンＣ１３が接続されている。
【００１１】
さらに、中央制御室給気ファンＡ５及び中央制御室給気ファンＢ６と中央制御室給気ファンＣ７との間に中央制御室共用給気ダクト１６が設置されている。この中央制御室共用給気ダクト１６は、第１のプラント中央制御室１及び第２のプラント中央制御室２を貫通し、各部屋に給気するのに用いられる。
【００１２】
また、上記の中央制御室給気ユニットＡ８及び中央制御室給気ユニットＢ９と第１のプラント中央制御室１との間には、中央制御室還気ダクト１７１が接続されている。
【００１３】
また、上記の中央制御室給気ユニットＣ１０と第２のプラント中央制御室２との間には、中央制御室還気ダクト１７２が接続されている。
【００１４】
さらに、上記の中央制御室再循環フィルタＡ１４、中央制御室再循環フィルタファンＡ１１及び中央制御室再循環フィルタファンＢ１２が、中央制御室再循環ダクト１８１を介して、上記の中央制御室還気ダクト１７１に接続されている。
【００１５】
また、上記の中央制御室再循環フィルタＢ１５及び中央制御室再循環フィルタファンＣ１３が、中央制御室再循環ダクト１８２を介して、上記の中央制御室還気ダクト１７２に接続されている。
【００１６】
このように構成することにより、中央制御室換気空調設備は常時運転され、中央制御室に運転員が２４時間常駐しても支障のない状態を維持している。
【００１７】
ここで、従来のプラント間共用中央制御室換気空調設備の取替工法について説明する。
【００１８】
ステップ１において、仮設の中央制御室仮設給気ユニット２０が、中央制御室給気ユニットＣ１０に並列して設置される。この中央制御室仮設給気ユニット２０には、中央制御室仮設給気ファン１９が接続される。この中央制御室仮設給気ユニット２０は、中央制御室仮設ダクト２１を介して、中央制御室共用給気ダクト１６及び中央制御室還気ダクト１７２に接続されている。
【００１９】
ステップ２において、上記の中央制御室給気ファンＣ７及び中央制御室給気ユニットＣ１０が撤去される。
【００２０】
ステップ３において、ステップ２で撤去された箇所に、新規又はメンテナンス終了等により更新した第２プラント中央制御室給気ユニット２３が設置される。この第２プラント中央制御室給気ユニット２３には、冗長性を確保するために、第２プラント中央制御室給気ファンＡＢ２２が２台並列に接続されている。この第２プラント中央制御室給気ユニット２３及びこれに接続された第２プラント中央制御室給気ファンＡＢ２２は、上記の中央制御室共用給気ダクト１６及び中央制御室還気ダクト１７２に接続される。
【００２１】
ステップ４において、上記の中央制御室仮設給気ファン１９、中央制御室仮設給気ユニット２０及び中央制御室仮設ダクト２１が撤去される。
【００２２】
また、仮設の中央制御室仮設再循環フィルタ２５が、中央制御室再循環フィルタＢ１５に並列して設置される。この中央制御室仮設再循環フィルタ２５には、中央制御室仮設再循環フィルタファン２４が接続される。この中央制御室仮設再循環フィルタ２５及び中央制御室仮設再循環フィルタファン２４は、中央制御室仮設再循環ダクト２６を介して、中央制御室再循環ダクト１８２に接続されている。
【００２３】
ステップ５において、上記の中央制御室再循環フィルタファンＣ１３及び中央制御室再循環フィルタＢ１５が撤去される。
【００２４】
ステップ６において、ステップ５で撤去された箇所に、新規又はメンテナンス終了後の第２プラント中央制御室再循環フィルタ２８が設置される。この第２プラント中央制御室再循環フィルタ２８には、第２プラント中央制御室再循環フィルタファンＡＢ２７が２台並列に接続される。この第２プラント中央制御室再循環フィルタ２８及びこれに接続された第２プラント中央制御室再循環フィルタファンＡＢ２７は、上記の中央制御室再循環ダクト１８２に接続される。
【００２５】
ステップ７において、上記の中央制御室仮設再循環フィルタファン２４、中央制御室仮設再循環フィルタ２５及び中央制御室仮設再循環ダクト２６は撤去される。
【００２６】
ステップ８において、上記の第１プラント中央制御室１及び第２プラント中央制御室２を貫通している中央制御室共用給気ダクト１６の中間部が撤去される。この撤去された残存部は、第１のプラント中央制御室１と第２のプラント中央制御室２には、それぞれ別個のダクト１６１、１６２として残在する。
【００２７】
上記のステップを経ることにより、中央制御室換気空調設備の常時運転状態を確保しながら、老朽化した中央制御室換気空調設備を更新することができる。また、プラント間で共通して使用されていた中央制御室換気空調設備を、予備機を設けることにより冗長性を確保した状態で、プラント毎に単独で使用できる独立設備とすることができる。
【特許文献１】特開平１０−３００１２３号公報
【発明の開示】
【発明が解決しようとする課題】
【００２８】
上述の従来のプラント間共用中央制御室換気空調設備の取替工法は、中央制御室に運転員が２４時間常駐しているため、中央制御室換気空調設備を常時運転かつ冗長性を維持しながら取替を行う必要があり、仮設設備の設置が必須条件であった。
【００２９】
しかし、この仮設設備は、中央制御室換気空調設備の予備機と成り得るよう、中央制御室換気空調設備に求められる耐震性、系統分離、電源分割、制御性を満足するものとしなくてはならないので、非常に大掛りな設備になる、という課題があった。
【００３０】
また、従来の仮設設備の設置時及び撤去時、既設設備の撤去時並びに新規設備の設置時には、既設ダクトとの接続、切り離し作業が発生し、短時間ではあるが、設備の取替えを行う側のプラントは、仮設設備も含めて中央制御室換気空調設備の全台停止が必要となる。
【００３１】
しかし、短時間であっても中央制御室換気空調設備の全台停止は、定期検査中にのみ実施可能であるので、設備の取替えは定期検査時に限定される。また、既設ダクトとの接続、切り離し作業の頻度が多いので、長期の定期検査時に限定して中央制御室換気空調設備の取替えは可能である、という課題があった。
【００３２】
なお、この原子力発電所の定期検査は、ほぼ年１回行われ、短期の検査と長期の検査に分類される。短期の定期検査は1ヶ月程度で、原子燃料の取替えが主に行われる。長期の定期検査は６ヶ月を超過する場合もあり、原子燃料の取替えの他に、原子炉炉内構造物等の保守点検が行われる。
【００３３】
さらに、プラント間共用中央制御室換気空調設備は、予備機を設けることにより冗長性を確保した状態で、プラント毎に単独で使用できる独立設備が要求されているため、中央制御室換気空調設備の内、予備機を有しないプラント側を優先して、予備機の設置及び独立設備となるよう設備を更新しなくてはならない、という課題があった。
【００３４】
本発明は上記課題を解決するためになされたもので、仮設設備を必要とせず、短期の定期検査中で、プラント共用中央制御室換気空調設備を取り替えることができるプラント間共用中央制御室換気空調設備の取替工法を提供することを目的とする。
【課題を解決するための手段】
【００３５】
上記目的を達成するため、本発明は、第１のプラントにおける原子力発電の制御が行われる第１のプラント中央制御室と、この第１のプラント中央制御室の換気空調が行われる第１のプラント中央制御室換気空調設備機械室と、第２のプラントにおける原子力発電の制御が行われる第２のプラント中央制御室と、この第２のプラント中央制御室の換気空調が行われる第２のプラント中央制御室換気空調設備機械室と、を有するプラント共用中央制御室換気空調設備の取替を行うプラント間共用中央制御室換気空調設備の取替工法において、前記第１のプラント及び第２のプラントの少なくとも一方側に第３の中央制御室換気空調設備機械室が設置される第３の中央制御室換気空調設備機械室設置ステップと、この設置された第３の中央制御室換気空調設備機械室に前記の第１の中央制御室及び第２の中央制御室の少なくとも一方の換気空調が行われる換気空調設備が設置される中央制御室換気空調設備設置ステップと、前記第１のプラント中央制御室換気空調設備機械室及び第２のプラント中央制御室換気空調設備機械室内の少なくとも一方の換気空調設備が撤去される換気空調設備撤去ステップと、を有することを特徴とするものである。
【発明の効果】
【００３６】
本発明のプラント間共用中央制御室換気空調設備の取替工法によれば、仮設設備を必要とせず短期の定期検査中で、プラント共用中央制御室換気空調設備を取り替えることができる。
【発明を実施するための最良の形態】
【００３７】
以下、本発明に係るプラント間共用中央制御室換気空調設備の取替工法の実施の形態について、図面を参照して説明する。ここで、同一又は類似の部分には共通の符号を付すことにより、重複説明を省略する。
【００３８】
図１は、本発明の第１の実施の形態のプラント間共用中央制御室換気空調設備の取替工法の構成を示す構成図である。
【００３９】
本図に示すように、第１のプラントにおいて、原子力発電所の制御を行う第１のプラント中央制御室１、第２のプラントにおいて第２のプラント中央制御室２が設置されている。これらの中央制御室１、２には、第1及び第２のプラント間に共通して又は単独で使用され空調を行う中央制御室換気空調設備が設けられている。
【００４０】
この共用中央制御室換気空調設備は、第１のプラント側に設置される第１プラント中央制御室換気空調設備機械室３、第２のプラント側に設置される第２プラント中央制御室換気空調設備機械室４から構成される。
【００４１】
この第１プラント中央制御室換気空調設備機械室３には、各部屋に給気するための中央制御室給気ユニットＡ８及び中央制御室給気ユニットＢ９が設置されている。この中央制御室給気ユニット８、９は、例えば、上流側よりフィルタ、暖房装置、冷房装置より構成される。
【００４２】
このように、予備機を設けることにより冗長性を確保している。また、この中央制御室給気ユニットＡ８、中央制御室給気ユニットＢ９には、それぞれ、中央制御室給気ファンＡ５、中央制御室給気ファンＢ６が接続され給気のために使用される。
【００４３】
また、再循環して浄化するための中央制御室再循環フィルタＡ１４が設けられている。この中央制御室再循環フィルタＡ１４は、例えば、３個のフィルタより構成される。
【００４４】
この中央制御室再循環フィルタＡ１４には、中央制御室再循環フィルタファンＡ１１、中央制御室再循環フィルタファンＢ１２が並列に接続され空気の循環のために用いられる。このように、予備機を設けることにより冗長性を確保している。
【００４５】
なお、換気空調設備は、中央制御室給気ユニットＡ８、中央制御室給気ユニットＢ９のように駆動部を持たない静的機器と、中央制御室給気ファンＡ５、中央制御室給気ファンＢ６のように駆動部を持つ動的機器に分類される。一般に、この動的機器について、故障対策として、冗長性が求められていれる。
【００４６】
次に、第２プラント中央制御室換気空調設備機械室３には、給気するための中央制御室給気ユニットＣ１０が設置されている。この中央制御室給気ユニットＣ１０には、中央制御室給気ファンＣ７が接続され給気のために用いられる。また、再循環して浄化するための中央制御室再循環フィルタＢ１５が設けられている。この中央制御室再循環フィルタＢ１５には、中央制御室再循環フィルタファンＣ１３が接続され空気の循環のために用いられる。
【００４７】
さらに、中央制御室給気ファンＡ５及び中央制御室給気ファンＢ６と中央制御室給気ファンＣ７との間に中央制御室共用給気ダクト１６が設置されている。この中央制御室共用給気ダクト１６は、第１のプラント中央制御室１及び第２のプラント中央制御室２を貫通し、各部屋に給気するのに用いられる。このように、中央制御室共用給気ダクト１６を設けることにより、冗長性を確保している。
【００４８】
また、上記の中央制御室給気ユニットＡ８及び中央制御室給気ユニットＢ９と第１のプラント中央制御室１との間には、中央制御室還気ダクト１７１が接続されている。
【００４９】
また、上記の中央制御室給気ユニットＣ１０と第２のプラント中央制御室２との間には、中央制御室還気ダクト１７２が接続されている。
【００５０】
さらに、上記の中央制御室再循環フィルタＡ１４、中央制御室再循環フィルタファンＡ１１及び中央制御室再循環フィルタファンＢ１２が、中央制御室再循環ダクト１８１を介して、中央制御室還気ダクト１７１に接続されている。
【００５１】
また、上記の中央制御室再循環フィルタＢ１５及び中央制御室再循環フィルタファンＣ１３が、中央制御室再循環ダクト１８２を介して、中央制御室還気ダクト１７２に接続されている。
【００５２】
ここで、プラント間共用中央制御室換気空調設備の取替工法について説明する。
【００５３】
ステップ１において、第２のプラント側に第３の中央制御室換気空調設備機械室である第２プラント新中央制御室換気空調設備機械室３２が別置きされる。この第２プラント新中央制御室換気空調設備機械室３２には、第２のプラント中央制御室２へ給気するための第２プラント中央制御室給気ユニット２３が設置される。この第２プラント中央制御室給気ユニット２３には、冗長性を確保するために、第２プラント中央制御室給気ファンＡＢ２２が２台並列に接続されている。
【００５４】
また、第２のプラント中央制御室２を換気して浄化するための第２プラント中央制御室再循環フィルタ２８が設置されている。この第２プラント中央制御室再循環フィルタ２８には、第２プラント中央制御室再循環フィルタファンＡＢ２７が２台並列して接続され、冗長性が確保されている。
【００５５】
この第２プラント中央制御室給気ファンＡＢ２２には、第２プラント中央制御室給気ダクト２９が接続されている。
【００５６】
この第２プラント中央制御室給気ユニット２３には、第２プラント中央制御室還気ダクト３０が接続されている。
【００５７】
また、第２プラント中央制御室再循環フィルタ２８及び第２プラント中央制御室再循環フィルタファンＡＢ２７が、第２プラント中央制御室再循環ダクト３１を介して、第２プラント中央制御室還気ダクト３０に接続されている。
【００５８】
これらの全ての機器は、第２プラントの運転中に第２プラント側に設置される。
【００５９】
ステップ２において、この第２プラント中央制御室給気ダクト２９と上記の中央制御室共用給気ダクト１６とが連結される。また、第２プラント中央制御室還気ダクト３０と上記の中央制御室還気ダクト１７２とが連結される。この連結の後に、中央制御室共用給気ダクト１６は、第１プラント中央制御室１及び第２プラント中央制御室２に存在する箇所は撤去される。このダクトの残存部は、第１プラント中央制御室１及び第２プラント中央制御室のそれぞれ個別のダクト１６１、１６２となる。
【００６０】
また、取替前の第２プラント中央制御室換気空調設備機械室４に存在する中央制御室給気ファンＣ７、中央制御室給気ユニットＣ１０、中央制御室再循環フィルタＢ１５及び中央制御室再循環フィルタファンＣ１３は撤去される。
【００６１】
本実施の形態によれば、第２のプラント側に新規設置される第３の中央制御室換気空調設備機械室に第２プラント用の中央制御室換気空調設備を新規設置し、第１プラント中央制御室換気空調設備機械室３に存在する換気空調設備を使用することにより、定期点検時に実施すべき工事は、既設ダクトと新設ダクトとの接続及びプラント間で貫通している箇所のダクト撤去のみとなる。このため、仮設設備を必要としないで、短期の定期検査において老朽化した中央制御室換気空調設備の取替をすることができる。また、プラントの保守優先順位に左右されることなく、予備機を設けることによりプラント毎に独立した中央制御室換気空調設備へ更新することができる。
【００６２】
図２は、本発明の第２の実施の形態のプラント間共用中央制御室換気空調設備の取替工法の前半構成を示す構成図であり、図３は、本発明の第２の実施の形態のプラント間共用中央制御室換気空調設備の取替工法の後半構成を示す構成図である。本実施の形態は、第１の実施の形態の第１プラント中央制御室換気空調設備機械室３に存在する換気空調設備の代わりに第２プラント中央制御室換気空調設備機械室４に存在する換気空調設備を使用するものであり、第１の実施の形態と同一又は類似の部分には共通の符号を付すことにより、重複説明を省略する。
【００６３】
本図に基いて、プラント間共用中央制御室換気空調設備の取替工法について説明する。
【００６４】
ステップ１において、第１の実施の形態のステップ１と同様に、第２のプラント側に第３の中央制御室換気空調設備機械室である第２プラント新中央制御室換気空調設備機械室３２が別置きされる。この第２プラント新中央制御室換気空調設備機械室３２には、第２のプラント中央制御室２へ給気するための第２プラント中央制御室給気ユニット２３が設置される。この第２プラント中央制御室給気ユニット２３には、冗長性を確保するために、第２プラント中央制御室給気ファンＡＢ２２が２台並列に接続される。
【００６５】
また、第２のプラント中央制御室２を換気して浄化するための第２プラント中央制御室再循環フィルタ２８が設置されている。この第２プラント中央制御室再循環フィルタ２８には、第２プラント中央制御室再循環フィルタファンＡＢ２７が２台並列に接続され、冗長性が確保されている。
【００６６】
この第２プラント中央制御室給気ファンＡＢ２２には、第２プラント中央制御室給気ダクト２９が接続される。
【００６７】
この第２プラント中央制御室給気ユニット２３には、第２プラント中央制御室還気ダクト３０が接続される。
【００６８】
また、第２プラント中央制御室再循環フィルタ２８及び第２プラント中央制御室再循環フィルタファンＡＢ２７が、第２プラント中央制御室再循環ダクト３１を介して、第２プラント中央制御室還気ダクト３０に接続されている。
【００６９】
ステップ２において、この第２プラント中央制御室給気ダクト２９と上記の中央制御室共用給気ダクト１６とが連結される。また、第２プラント中央制御室還気ダクト３０と上記の中央制御室還気ダクト１７２とが連結される。
【００７０】
また、第２プラント中央制御室換気空調設備機械室４内に存在する中央制御室給気ファンＣ７、中央制御室給気ユニットＣ１０、中央制御室再循環フィルタＢ１５及び中央制御室再循環フィルタファンＣ１３は撤去される。
【００７１】
ステップ３において、第２プラント中央制御室換気空調設備機械室４には、第１プラント中央制御室１へ給気するための第１プラント中央制御室給気ユニット３４が設置される。この第１プラント中央制御室給気ユニット３４には、冗長性を確保するために、第１プラント中央制御室給気ファンＡ３３が２台並列に接続される。
【００７２】
また、第１プラント中央制御室１を換気して浄化するための第１プラント中央制御室再循環フィルタ３６が設置される。この第１プラント中央制御室再循環フィルタ３６には、第１プラント中央制御室再循環フィルタファンＡＢ３５が２台並列に接続され、冗長性が確保されている。
【００７３】
この第１プラント中央制御室給気ファンＡＢ３３と中央制御室共用給気ダクト１６との間には、第１プラント中央制御室給気ダクト３７が接続される。
【００７４】
この第１プラント中央制御室給気ユニット３４と第１プラント中央制御室１との間には、第１プラント中央制御室還気ダクト３８が接続される。
【００７５】
また、第１プラント中央制御室再循環フィルタ３６及び第１プラント中央制御室再循環フィルタファン３５が、第１プラント中央制御室再循環ダクト３９を介して、第１プラント中央制御室還気ダクト３８に接続されている。
【００７６】
ステップ４において、第１プラント中央制御室換気空調設備機械室３に存在する中央制御室給気ファンＡ５、中央制御室給気ファンＢ６、中央制御室給気ユニットＡ８、中央制御室給気ユニットＢ９、中央制御室再循環フィルタファンＡ１１、中央制御室再循環フィルタファンＢ１２及び中央制御室再循環フィルタＡ１４が撤去される。また、中央制御室共用給気ダクト１６の内、第１プラント中央制御室換気空調設備機械室３側に存在するものが撤去される。
【００７７】
本実施の形態によれば、第２のプラント側に新規設置される第３の中央制御室換気空調設備機械室に第２プラント用の中央制御室換気空調設備を新規設置し、第２プラント中央制御室換気空調設備機械室４に存在する換気空調設備を使用することにより、ことにより、定期点検時に実施すべき工事は、既設ダクトと新設ダクトとの接続及びプラント間で貫通している箇所のダクト撤去のみとなる。このため、仮設設備を必要とせず短期の定期検査で、老朽化したプラント共用中央制御室換気空調設備を取り替えることができる。また、プラントの保守優先順位に左右されることなく、予備機を設けることによりプラント毎に独立した中央制御室換気空調設備へ更新することができる。
【００７８】
図４は、本発明の第３の実施の形態のプラント間共用中央制御室換気空調設備の取替工法の前半構成を示す構成図であり、図５は、本発明の第３の実施の形態のプラント間共用中央制御室換気空調設備の取替工法の後半構成を示す構成図である。本実施の形態は、第２の実施の形態の第２プラント中央制御室換気空調設備機械室４に存在する換気空調設備の代わりに第１プラント中央制御室換気空調設備機械室３に存在する換気空調設備を使用するものであり、第２の実施の形態と同一又は類似の部分には共通の符号を付すことにより、重複説明を省略する。
【００７９】
本図に基いて、プラント間共用中央制御室換気空調設備の取替工法について説明する。
【００８０】
ステップ１において、第１の実施の形態のステップ１と同様に、第２のプラント側に第３の中央制御室換気空調設備機械室である第２プラント新中央制御室換気空調設備機械室３２が別置きされる。この第２プラント新中央制御室換気空調設備機械室３２には、第２のプラント中央制御室２へ給気するための第２プラント中央制御室給気ユニット２３が設置されている。この第２プラント中央制御室給気ユニット２３には、冗長性を確保するために、第２プラント中央制御室給気ファンＡＢ２２が２台並列に接続される。
【００８１】
また、第２のプラント中央制御室２を換気して浄化するための第２プラント中央制御室再循環フィルタ２８が設置されている。この第２プラント中央制御室再循環フィルタ２８には、第２プラント中央制御室再循環フィルタファンＡＢ２７が２台並列に接続され、冗長性が確保されている。
【００８２】
この第２プラント中央制御室給気ファンＡＢ２２には、第２プラント中央制御室給気ダクト２９が接続される。
【００８３】
この第２プラント中央制御室給気ユニット２３には、第２プラント中央制御室還気ダクト３０が接続される。
【００８４】
また、第２プラント中央制御室再循環フィルタ２８及び第２プラント中央制御室再循環フィルタファンＡＢ２７が、第２プラント中央制御室再循環ダクト３１を介して、第２プラント中央制御室還気ダクト３０に接続される。
【００８５】
ステップ２において、この第２プラント中央制御室給気ダクト２９と上記の中央制御室共用給気ダクト１６とが連結される。また、第２プラント中央制御室還気ダクト３０と上記の中央制御室還気ダクト１７２とが連結される。
【００８６】
また、第１プラント中央制御室換気空調設備機械室３内に存在する中央制御室給気ファンＡ５、中央制御室給気ファンＢ６、中央制御室給気ユニットＡ８、中央制御室給気ユニットＢ９、中央制御室再循環フィルタファンＡ１１、中央制御室再循環フィルタファンＢ１２及び中央制御室再循環フィルタＡ１４が撤去される。
【００８７】
ステップ３において、第１プラント中央制御室換気空調設備機械室３には、第１プラント中央制御室１に給気するための第１プラント中央制御室給気ユニット３４が設置される。また、この第１プラント中央制御室給気ユニット３４には、第１プラント中央制御室給気ファンＡＢ３３が２台並列に接続され給気に用いられる。
【００８８】
また、再循環して浄化するための第１プラント中央制御室再循環フィルタ３６が設けられている。この第１プラント中央制御室再循環フィルタ３６には、第１プラント中央制御室再循環フィルタファンＡＢ３５が２台並列に接続され換気に用いられている。このように、予備機を設けることにより冗長性を確保している。
【００８９】
この２台の第１プラント中央制御室給気ファンＡＢ３３と中央制御室共用給気ダクト１６との間には、第１プラント中央制御室給気ダクト３７が接続される。
【００９０】
この第１プラント中央制御室給気ユニット３４と第１プラント中央制御室１との間には、第１プラント中央制御室還気ダクト３８が接続される。
【００９１】
また、第１プラント中央制御室再循環フィルタ３６及び第１プラント中央制御室再循環フィルタファン３５が、第１プラント中央制御室再循環ダクト３９を介して、第１プラント中央制御室還気ダクト３８に接続される。
【００９２】
ステップ４において、第２プラント中央制御室換気空調設備機械室４内に存在する中央制御室給気ファンＣ７、中央制御室給気ユニットＣ１０、中央制御室再循環フィルタＢ１５及び中央制御室再循環フィルタファンＣ１３が撤去される。
【００９３】
ステップ５において、中央制御室共用給気ダクト１６は、第１プラント中央制御室１及び第２プラント中央制御室２に存在する箇所は撤去される。このダクトの残存部は、第１プラント中央制御室１及び第２プラント中央制御室のそれぞれ個別のダクト１６１、１６２となる。
【００９４】
本実施の形態によれば、第２のプラント側に新規設置される第３の中央制御室換気空調設備機械室に第２プラント用の中央制御室換気空調設備を新規設置し、第１プラント中央制御室換気空調設備機械室３に存在する換気空調設備を使用することにより、定期点検時に実施すべき工事は、既設ダクトと新設ダクトとの接続及びプラント間で貫通している箇所のダクト撤去のみとなる。このため、仮設設備を必要としないで、短期の定期検査において老朽化した中央制御室換気空調設備の取替をすることができる。また、プラントの保守優先順位に左右されることなく、予備機を設けることによりプラント毎に独立した中央制御室換気空調設備へ更新することができる。
【００９５】
図６は、本発明の第４の実施の形態のプラント間共用中央制御室換気空調設備の取替工法の前半構成を示す構成図であり、図７は、本発明の第４の実施の形態のプラント間共用中央制御室換気空調設備の取替工法の後半構成を示す構成図である。本実施の形態は、第１の実施の形態の第２のプラント側に設けた第３の中央制御室換気空調設備機械室の代わりに第１のプラント側に第３の中央制御室換気空調設備機械室を設置するものであり、第１の実施の形態と同一又は類似の部分には共通の符号を付すことにより、重複説明を省略する。
【００９６】
本図に基いて、プラント間共用中央制御室換気空調設備の取替工法について説明する。
【００９７】
ステップ１において、第１のプラント側に第３の中央制御室換気空調設備機械室である第１プラント新中央制御室換気空調設備機械室４０が別置きされる。この第１プラント新中央制御室換気空調設備機械室４０には、第２のプラント中央制御室２へ給気するための第２プラント中央制御室給気ユニット２３が設置される。この第２プラント中央制御室給気ユニット２３には、第２プラント中央制御室給気ファンＡＢ２２が２台並列に接続される。
【００９８】
また、第２のプラント中央制御室２を換気して浄化するための第２プラント中央制御室再循環フィルタ２８が設置されている。この第２プラント中央制御室再循環フィルタ２８には、第２プラント中央制御室再循環フィルタファンＡＢ２７が２台並列に接続され、冗長性が確保されている。
【００９９】
この第２プラント中央制御室給気ファンＡＢ２２には、第２プラント中央制御室給気ダクト２９が接続されている。
【０１００】
この第２プラント中央制御室給気ユニット２３には、第２プラント中央制御室還気ダクト３０が接続されている。
【０１０１】
また、第２プラント中央制御室再循環フィルタ２８及び第２プラント中央制御室再循環フィルタファンＡＢ２７が、第２プラント中央制御室再循環ダクト３１を介して、第２プラント中央制御室還気ダクト３０に接続されている。
【０１０２】
ステップ２において、第１プラント中央制御室換気空調設備機械室３に存在する中央制御室給気ファンＡ５、中央制御室給気ファンＢ６、中央制御室給気ユニットＡ８、中央制御室給気ユニットＢ９、中央制御室再循環フィルタファンＡ１１、中央制御室再循環フィルタファンＢ１２及び中央制御室再循環フィルタＡ１４が撤去される。
【０１０３】
スッテプ３において、第１プラント中央制御室換気空調設備機械室３には、第１プラント中央制御室１及び第２プラント中央制御室２に給気するための第１プラント中央制御室給気ユニット３４が設置される。また、この第１プラント中央制御室給気ユニット３４には、第１プラント中央制御室給気ファンＡＢ３３が２台並列に接続され換気に用いられる。
【０１０４】
また、再循環して浄化するための第１プラント中央制御室再循環フィルタ３６が設けられている。この第１プラント中央制御室再循環フィルタ３６には、第１プラント中央制御室再循環フィルタファンＡＢ３５が２台並列に接続される。このように、予備機を設けることにより冗長性を確保している。
【０１０５】
この２台の第１プラント中央制御室給気ファンＡＢ３３と中央制御室共用給気ダクト１６との間には、第１プラント中央制御室給気ダクト３７が接続される。
【０１０６】
この第１プラント中央制御室給気ユニット３４と第１プラント中央制御室１との間には、第１プラント中央制御室還気ダクト３８が接続される。
【０１０７】
また、第１プラント中央制御室再循環フィルタ３６及び第１プラント中央制御室再循環フィルタファン３５が、第１プラント中央制御室再循環ダクト３９を介して、第１プラント中央制御室還気ダクト３８に接続される。
【０１０８】
ステップ４において、第２プラント中央制御室換気空調設備機械室４内に存在する中央制御室給気ファンＣ７、中央制御室給気ユニットＣ１０、中央制御室再循環フィルタＢ１５及び中央制御室再循環フィルタファンＣ１３が撤去される。
【０１０９】
本実施の形態によれば、第１のプラント側に新規設置される第３の中央制御室換気空調設備機械室に第２プラント用の中央制御室換気空調設備を新規設置することにより、定期検査時に実施すべき工事は、既設ダクトと新設ダクトとの接続及びプラント間で貫通している箇所のダクト撤去のみとなるため、仮設設備を必要とせず短期の定期検査で、老朽化したプラント共用中央制御室換気空調設備を取り替えることができる。また、プラントの保守優先順位に左右されることなく、予備機を設けることによりプラント毎に独立した中央制御室換気空調設備へ更新することができる。
【０１１０】
さらに、本発明は、上述したような各実施の形態に何ら限定されるものではなく、新規設置される第３の中央制御室換気空調設備機械室は第１のプラントと第２のプラントとの間に設置されてもよく、本発明の主旨を逸脱しない範囲で種々変形して実施することができる。
【図面の簡単な説明】
【０１１１】
【図１】本発明の第１の実施の形態のプラント間共用中央制御室換気空調設備の取替工法の構成を示す構成図。
【図２】本発明の第２の実施の形態のプラント間共用中央制御室換気空調設備の取替工法の前半構成を示す構成図。
【図３】本発明の第２の実施の形態のプラント間共用中央制御室換気空調設備の取替工法の後半構成を示す構成図。
【図４】本発明の第３の実施の形態のプラント間共用中央制御室換気空調設備の取替工法の前半構成を示す構成図。
【図５】本発明の第３の実施の形態のプラント間共用中央制御室換気空調設備の取替工法の後半構成を示す構成図。
【図６】本発明の第４の実施の形態のプラント間共用中央制御室換気空調設備の取替工法の前半構成を示す構成図。
【図７】本発明の第４の実施の形態のプラント間共用中央制御室換気空調設備の取替工法の後半構成を示す構成図。
【図８】従来のプラント間共用中央制御室換気空調設備の取替工法の前半構成を示す構成図。
【図９】従来のプラント間共用中央制御室換気空調設備の取替工法の後半構成を示す構成図。
【符号の説明】
【０１１２】
１…第１プラント中央制御室、２…第２プラント中央制御室、３…第１プラント中央制御室換気空調設備機械室、４…第２プラント中央制御室換気空調設備機械室、５…中央制御室給気ファンＡ、６…中央制御室給気ファンＢ、７…中央制御室給気ファンＣ、８…中央制御室給気ユニットＡ、９…中央制御室給気ユニットＢ、１０…中央制御室給気ユニットＣ、１１…中央制御室再循環フィルタファンＡ、１２…中央制御室再循環フィルタファンＢ、１３…中央制御室再循環フィルタファンＣ、１４…中央制御室再循環フィルタＡ、１５…中央制御室再循環フィルタＢ、１６…中央制御室共用給気ダクト、１７…中央制御室還気ダクト、１８…中央制御室再循環ダクト、１９…中央制御室仮設給気ファン、２０…中央制御室仮設給気ユニット、２１…中央制御室仮設給気ダクト、２２…第２プラント中央制御室給気ファンＡＢ、２３…第２プラント中央制御室給気ユニット、２４…中央制御室仮設再循環フィルタファン、２５…中央制御室仮設再循環フィルタ、２６…中央制御室仮設再循環ダクト、２７…第２プラント中央制御室再循環フィルタファンＡＢ、２８…第２プラント中央制御室再循環フィルタ、２９…第２プラント中央制御室給気ダクト、３０…第２プラント中央制御室還気ダクト、３１…第２プラント中央制御室再循環ダクト、３２…第２プラント新中央制御室換気空調設備機械室、３３…第１プラント中央制御室給気ファンＡＢ、３４…第１プラント中央制御室給気ユニット、３５…第１プラント中央制御室再循環フィルタファンＡＢ、３６…第１プラント中央制御室再循環フィルタ、３７…第１プラント中央制御室給気ダクト、３８…第１プラント中央制御室還気ダクト、３９…第１プラント中央制御室再循環ダクト、４０…第１プラント新中央制御室換気空調設備機械室。
【図１】
0004619891.tif 000002
【図２】
0004619891.tif 000003
【図３】
0004619891.tif 000004
【図４】
0004619891.tif 000005
【図５】
0004619891.tif 000006
【図６】
0004619891.tif 000007
【図７】
0004619891.tif 000008
【図８】
0004619891.tif 000009
【図９】
0004619891.tif 000010